(57)【要約】      （修正有）【課題】擁壁用ブロックの積み重ね勾配に対して任意の勾配で背面板を積み重ねる工法と治具を提供する。【解決手段】擁壁用ブロック１と背面板３とを前後方向に離隔して積み重ね、両者の間にコンクリート２９を打設し、背面板の裏側に裏込め材３０を充填する擁壁の構築工法において、順次擁壁用ブロックに対応して積み重ねる背面板の裏面に、先端部が背面板の上方へ突出するようにして姿勢案内棒５を着脱可能に取り付け、順次積み重ねる擁壁用ブロックの背面に取り付けた連結部材９と、背面板の上方に突出する上記姿勢案内棒の先端とを長さ調節可能にした連接棒に１０て連接し、ついで擁壁用ブロックと背面板との間にコンクリートを打設し、背面板の裏側に裏込め材を充填し、コンクリートの固化後、上記姿勢案内棒を取り外すようにし、この動作を順次行うようにした。【選択図】図１
2007002491.tif 000002
【特許請求の範囲】
【請求項１】
擁壁用ブロックと背面板とを前後方向に離隔して積み重ね、擁壁用ブロックと背面板の間にコンクリートを打設し、背面板の裏側に裏込め材を充填する擁壁の構築工法において、
順次擁壁用ブロックに対応して積み重ねる背面板の裏面に、積み重ねるつど先端部が背面板の上方へ突出するようにして姿勢案内棒を上下方向に沿わせて着脱可能に取り付け、
順次積み重ねる擁壁用ブロックの背面に取り付けた連結部材と、この各擁壁用ブロックに対応する背面板の上方に突出する上記姿勢案内棒の先端とを長さ調節可能にした連接棒にて連接し、ついで擁壁用ブロックと背面板との間にコンクリートを打設し、背面板の裏側に裏込め材を充填し、コンクリートの固化後、上記姿勢案内棒を取り外し、
この動作を順次行うようにしたことを特徴とする擁壁の構築工法。
【請求項２】
連接棒の両端を上下方向に回転可能にしたことを特徴とする請求項１記載の擁壁の構築工法。
【請求項３】
順次積み重ねる擁壁用ブロックに対応して積み重ねる背面板の下端及び継ぎ目に係合する支持部材と、
積み重ねる背面板の裏面に、積み重ねるつど先端部が背面板の上方へ突出するようにして上記支持部材に支持して着脱可能に取り付ける姿勢案内棒と、
擁壁用ブロックの背面上部に着脱可能に取り付けられる連結部材と、
この連結部材と上記姿勢案内棒の上端とを着脱可能に、かつ連結部を上下方向に回転可能に連接し、さらに長さ調節可能にした連接棒とからなることを特徴とする請求項１記載の擁壁の構造工法に用いる背面板設置治具。
【発明の詳細な説明】
【技術分野】
【０００１】
本発明は、法面の前側に擁壁用ブロックと背面板とを前後方向に離隔して積み重ね、擁壁用ブロックと背面板との間にコンクリートを打設し、また背面板と法面との間に裏込め材を充填して固定してなる擁壁の構築工法及びこの工法に用いる背面板設置治具に関するものである。
【背景技術】
【０００２】
従来のこの種の擁壁は、予め仮置き場にて、セパレータの一端を擁壁用ブロックの背面に埋設したインサートに連結し、他端を背面板に固着した金具に連結して仮組立体とし、この仮組立体を各擁壁用ブロックの前面を揃えて法面の前側に順次積み上げるようにしている（例えば、特許文献１参照）。
【０００３】
【特許文献１】特開平１１−２９９４５号公報
【発明の開示】
【発明が解決しようとする課題】
【０００４】
上記した従来の擁壁にあっては、擁壁用ブロックと背面板とを連結するセパレータは、これの各端部が擁壁用ブロック及び背面板のそれぞれに対して一体状に取り付けるようになっていたため、擁壁用ブロックの勾配に対して背面板の勾配が異なる場合、セパレータによる連結ができなくなるという問題がある。
【０００５】
また上記セパレータは、擁壁用ブロックの各段ごとに同一長さのものが用いられ、かつ各段ごとに水平（平行）に設置されるようになっていたため、擁壁用ブロックの前面と背面板のそれぞれの勾配が平行である場合には問題ないが、両者の勾配が平行でない場合や、背面板の寸法（法長）が擁壁用ブロックの前壁と異なる場合には、工事が不可能になってしまい極めて汎用性に欠けるという問題があった。
【０００６】
本発明は上記のことに鑑みなされたもので、擁壁用ブロックの積み重ね勾配に対して背面板の勾配を任意にすることができ、また擁壁用ブロックと背面板とを連接する連接棒を繰り返し使用できて経済的であり、さらに背面板に任意の高さのものを用いることができて、これに市販の規格品を用いてコストダウンを図ることができるようにした擁壁の構築工法と、この工法に用いる背面板設置治具を提供することを目的とするものである。
【課題を解決するための手段】
【０００７】
上記目的を達成するために、本発明に係る擁壁の構築工法は、擁壁用ブロックと背面板とを前後方向に離隔して積み重ね、擁壁用ブロックと背面板の間にコンクリートを打設し、背面板の裏側に裏込め材を充填する擁壁の構築工法において、順次擁壁用ブロックに対応して積み重ねる背面板の裏面に、積み重ねるつど先端部が背面板の上方へ突出するようにして姿勢案内棒を上下方向に沿わせて着脱可能に取り付け、順次積み重ねる擁壁用ブロックの背面に取り付けた連結部材と、この各擁壁用ブロックに対応する背面板の上方に突出する上記姿勢案内棒の先端とを長さ調節可能にした連接棒にて連接し、ついで擁壁用ブロックと背面板との間にコンクリートを打設し、背面板の裏側に裏込め材を充填し、コンクリートの固化後、上記姿勢案内棒を取り外し、この動作を順次行うようにした。
【０００８】
そして上記擁壁の構築工法において、連接棒の両端を上下方向に回転可能にした。
【０００９】
さらに上記擁壁の構築工法に用いる背面板設置治具は、順次積み重ねる擁壁用ブロックに対応して積み重ねる背面板の下端及び継ぎ目に係合する支持部材と、積み重ねる背面板の裏面に、積み重ねるつど先端部が背面板の上方へ突出するようにして上記支持部材に支持して着脱可能に取り付ける姿勢案内棒と、擁壁用ブロックの背面上部に着脱可能に取付けられる連結部材と、この連結部材と上記姿勢案内棒の上端とを着脱可能に、かつ連結部を上下方向に回転可能に連接し、さらに長さ調節可能にした連接棒とから構成されている。
【発明の効果】
【００１０】
本発明に係る擁壁の構築工法によれば、擁壁用ブロック及び背面板の積み重ねにおいて、これのそれぞれの１段ごとに、長さ調節可能にした連接棒にて連接できることにより、背面板の擁壁用ブロックに対する角度を任意に設定して積み重ねることができ、より経済的な擁壁断面の設計と工事が可能となる。
【００１１】
また、擁壁用ブロックと背面板とを連接する連接棒を各段ごとに取り外し、繰り返し使用することができて経済的である。
【００１２】
さらに、背面板は任意の高さのものを用いることができることにより、これに市販の規格品を用いてコストダウンを図ることができる。
【００１３】
そして特に、本発明に係る背面板設置治具では、繰り返し再使用できることにより経済的である。
【発明を実施するための最良の形態】
【００１４】
図１から図４は、図５、図６にて示した本発明における擁壁の構築工法に用いる背面板設置治具を示す。
【００１５】
図１において、１は擁壁用ブロック（以下これを単にブロックという）であり、このブロック１はこれの側面形状が上面と下面で平行で、かつ後傾された形状になっており、特に図示してないが正面形状が横長の矩形状にしてコンクリートにて成形されている。そしてこのブロック１の背面の上部にはナット部材２がインサートしてある。
【００１６】
３は背面板であり、この背面板３は上記ブロック１の背面と法面（図示せず）の間に設置するもので、木毛板、木片セメント板等の板材が用いられる。この背面板３の形状も図示しないが矩形状になっており、これの高さ寸法は任意のものが用いられ、この実施の形態ではブロック１の傾斜方向に沿う長さより短いものが用いられる。
【００１７】
４は積み重ねるブロック１の積み重ね姿勢に対して所定の角度で背面板３を設置するために用いる背面板設置治具（以下設置治具という）である。以下、この設置治具４を図１から図４を参照して詳述する。
【００１８】
まず設置治具４は、背面板３の背面に沿わせて上下方向にスライド可能に、かつ取り外し可能に支持される姿勢案内棒５と、この姿勢案内棒５を背面板３に支持する第１・第２の支持部材６，７と、姿勢案内棒５の先端（上端）に係脱可能に取り付ける第１連結部材８と、上記ブロック１に埋設したナット部材２に螺合固着される第２連結部材９と、第１・第２の連結部材８，９に両端部を係脱可能に連結して両連結部材８，９間を連接する連接棒１０とからなっている。この連接棒１０は長さを任意に変えられるようになっている。
【００１９】
上記姿勢案内棒５は、ブロック１の傾斜方向の長さより充分長くした所定の長さ（例えば１７００ｍｍ）の丸パイプ（あるいは角パイプ）が用いられる。第１支持部材６は、上記姿勢案内棒５が抜き差し可能に嵌合するパイプ部材１１の下端に、上側に向けたヨーク部を構成するＬ字状部材１２を溶接にて固着した構成になっている。また第２支持部材７は、上記姿勢案内棒５が抜き差し可能に貫挿するパイプ部材１３の中間部に、軸方向両側にヨーク部を形成するＴ字状部材１４を、これの横棒部分をパイプ部材１３と平行にして縦棒部分の先端を溶接にて固着した構成になっている。
【００２０】
上記両支持部材６，７のＬ字状部材１２とＴ字状部材１４のそれぞれのパイプ部材１１，１３との間で構成するヨーク部は、背面板３の上下方向の端部が隙間なく嵌合するようになっている。
【００２１】
第１連結部材８は、姿勢案内棒５の先端に抜き差し可能にした嵌合部材１５の先端部に、連接棒１０の一端を係脱可能に、かつ上下方向に回動可能に連結する第１連結片１６ａを固着した構成になっている。また第２連結部材９は、ナット部材２に螺合するボルト部材１７の基端に、連接棒１０の他端を係脱可能に、かつ上下方向に回転可能に連結する第２連結片１６ｂを固着した構成になっている。
【００２２】
上記連接棒１０は、一端にＴ字状の連結端部材１８を固着した第１棒部材１９と、一端にＴ字形の連結端部材２０を固着した第２棒部材２１とからなり、第１棒部材１９の他端にはパイプ部材２２が同軸上に固着されており、このパイプ部材２２に第２棒部材２１の他端部が摺動自在に嵌合されている。そして第１棒部材１９のパイプ部材２２と、第２棒部材２１の他端部には軸方向に孔２３ａ，２３ｂが複数個ずつ軸方向に設けてあり、これらの孔２３ａ，２３ｂに選択的にピン２４を貫挿することにより、両棒部材２１，２２が任意の長さ関係でもって連接されるようになっている。
【００２３】
また、第１棒部材１９の中間部にターンバックル２５が介装してあり、このターンバックル２５により連接棒１０の長さが上記孔２３ａ，２３ｂの選択による調節に対してより細く調節できるようになっている。
【００２４】
上記第１・第２の棒部材１９，２１のそれぞれの一端部に固着した連結端部材１８，２０に、係脱可能に連結する第１・第２の連結片１６ａ，１６ｂは対向した状態で同一形状（対称形状）になっていて、連結端部材１８，２０の横棒部が回動可能に嵌合するパイプ体に連結端部材１８，２０の縦棒部がパイプ体の軸方向に通る軸方向溝２６と、この軸方向溝２６に連通し、上記連結端部材１８，２０の縦棒部がパイプ体の軸心に対して回転方向に案内する回転方向溝２７を有している。
【００２５】
次に、上記した構成の設置治具４を用いてブロック１と背面板３の積み重ね設置する擁壁の構築工法を図５（ａ）〜（ｃ）及び図６（ａ）〜（ｃ）にて説明する。
【００２６】
まず法面等の基部に構成した基盤２８上に１段目のブロック１を横方向に列状に設置する。そして各ブロック１の背面側で、これと離隔する位置に１段目の背面板３を横方向に設置する。このときの各背面板３は、図１から図４に示した設置治具４を用いて所定の角度に傾斜させて設置する。なお、このときの背面板３は任意の高さ（幅）のものが用いられるが、この実施の形態ではブロック１の傾斜方向長さより狭い幅のものを用いた。
【００２７】
１段目の背面板３の横方向の同一位置の下縁に設置治具４の第１支持部材６を、また上縁に第２支持部材７を、それぞれパイプ部材１１，１３とＬ字状部材１２、Ｔ字状部材１４の間で構成するヨーク部に背面板３の下縁及び上縁を挿入して係合する。
【００２８】
ついでこの両支持部材６，７のそれぞれのパイプ部材１１，１３に姿勢案内棒５を挿入する。このとき姿勢案内棒５の下端は、基板２８に当接して、これの上端部が背面板３の上方へ突出される状態となる。この姿勢案内棒５の上端に第１連結部材８を、これの嵌合部材１５を挿入して係止する。このとき、第１連結片１６ａをブロック１側へ向ける。これと共に、ブロック１の背面に設けたナット部材２に第２連結部材９を螺合し、これの第２連結片１６ｂが水平状態になるようにして固定する。
【００２９】
ついで連接棒１０の両連結端部材１８，２０を上記第１・第２の連結部材８，９の連結片１６ａ，１６ｂに連結し、この第１・第２の連結部材８，９を介してブロック１と背面板３とを連接棒１０にて連接する。このとき連接棒１０の長さは、孔２３ａ，２３ｂに対するピン２４の挿入位置を選択することにより、及びターンバックル２５により任意に調節され、この連接棒１０の長さにより姿勢案内棒５を介してブロック１に対する背面板３の傾斜角が設定される（図１（ａ））。
【００３０】
１段目のブロック１と背面板３を設置した状態で、かつこの両者を連接棒１０で連接した状態でブロック１と背面板３の間にコンクリート２９を打設すると共に、背面板３の背面側に裏込め材３０を入れて突き固める（図１（ｂ））。
【００３１】
ついで上記１段目のコンクリート２９が固化するのを待って、連接棒１０を１段目のブロック１と背面板３のそれぞれの連結片１６ａ，１６ｂから外すと共に、姿勢案内棒５を第１・第２の支持部材６，７から引き抜く。そして１段目のブロック１上に２段目のブロック１を積み重ねると共に、２段目の背面板３をこれの端面を突き合わせ状態にして継ぎ足す（図１（ｃ））。
このときの２段目の背面板３の下端は、第２支持部材７の上側のヨーク部に係合して、１段目の背面板３の上端に同一面状にして継ぎ足される。また、２段目のブロック１の背面に第２連結部材９を固着する。
【００３２】
その後、２段目の背面板３の上端に他の第１支持部材７を係止し、この２段目の第１支持部材７と１段目の第１支持部材７のパイプ部材１３，１３に姿勢案内棒５を挿入する。このとき姿勢案内棒５の下端は裏込め材３０に突き当たり、上端側が背面板３の上方へ突出される。この状態で上記１段目と同様に、姿勢案内棒５の上端に付けられた第１連結部材８とブロック１の背面に固着された第２連結部材９とを連接棒１０にて連接し、かつこの連接棒１０の長さを調節して背面板３を所定の傾斜角で支持する（図１（ｃ））。このときの２段目の背面板３は、１段目のブロック１に対する所定の姿勢になるように姿勢案内棒７にて支持される。
【００３３】
この状態で上記した１段目と同様に、２段目のブロック１と背面板３との間にコンクリート２９を打設し、背面板３の裏側に裏込め材３０を充填する（図２（ａ））。
【００３４】
以下図６（ｂ），（ｃ）に示すように、順次上記した作業を繰り返してブロック１及び背面板３を積み重ね、継ぎ足していき、各段ごとにコンクリート２９と裏込み材３０を打設、充填していく。
【００３５】
このときにおいて、背面板３の高さ方向の幅がブロック１の高さより狭い場合、ブロック１の積み重ね数と同数の背面板３を継ぎ足していくと、この背面板３の高さがブロック１の高さに比較して低くなり、連接棒１０をコンクリート打設作業に干渉しない高い位置で用いることができなくなることがある。この場合には図２（ｂ）に示すように、例えば１／２幅の補助背面板３ａを継ぎ足して用いる。
【００３６】
上記した擁壁の構築工法において、各段を積み重ねるつど連接棒１０を取り外してこれを繰り返し用いる。このとき、背面板３間に係合する支持部材６，７は埋め殺しになる。またブロック１側に螺合される第２連結部材９は、図に示すように埋め殺しでもよいが、そのつど取り外してもよい。
【００３７】
またブロック１と背面板３とを連接する連接棒１０は、ブロック１の背面にナット部材２を横方向に複数個埋設することにより、１個のブロック１に対してこれの横方向に複数用いることができる。
【００３８】
また連接棒１０の両端は、第１・第２の連結部材８，９に対して係脱可能に、かつ回動可能に連結されるようになっているが、この連結構成は図３、図４に示した構成に限るものではなく、図７から図１０に示すような第１・第２の連結部材８ａ，９ａを用いてもよい。
【００３９】
図７に示す第１連結部材８ａは、姿勢案内棒５の先端に抜き差し可能に嵌合するパイプ部材３１と、このパイプ部材３１の先端部に固着した天板３２と、この天板３２に、上記パイプ部材３１に対して軸直角方向に同心状に離隔して固着した２個の蝶番筒３３ａ，３３ｂと、この両蝶番筒３３ａ，３３ｂに抜き差し可能に挿入される蝶番ピン３４とからなっていて、蝶番筒３３ａ，３３ｂの間に連接棒１０の筒状にした一方の連結端部材１８ａを入れ、これらに蝶番ピン３４を挿入することにより、第１連結部材８ａに連結端部材１８ａが上下方向に回動可能に連結されるようになっている。
【００４０】
また、図８に示す第２連結部材９ａも上記第１連結部材８ａと同様になっていて、２個の蝶番筒３３ａ，３３ｂが基板３５を介してボルト部材１７の頭部に固着されていて、この蝶番筒３３ａ，３３３ｂの間に連接棒１０の筒状にした他方の連結端部材２０ａを入れ、これらの蝶番ピン３４を挿入するようになっている。
【００４１】
さらに連接棒１０は長さ調整可能になっているが、この調節構成は図１に示すものに限るものではなく、例えば図１１に示すように、第１棒部材１９ａにパイプ部材２２ａのみ固着し、第２棒部材２１ａをこのパイプ部座２２ｄに摺動可能に挿入し、これを止めボルト３６で止めるようにしてもよい
【図面の簡単な説明】
【００４２】
【図１】背面板設置治具の使用状態を示す側面図である。
【図２】（ａ），（ｂ）は支持部材を示す斜視図である。
【図３】第１連結部材を示す斜視図である。
【図４】第２連結部材を示す斜視図である。
【図５】（ａ），（ｂ），（ｃ）は擁壁用ブロックの１段目から２段目の積み重ね工程図である。
【図６】（ａ），（ｂ），（ｃ）は擁壁用ブロックの２段目から３段目の積み重ね工程図である。
【図７】第１連結部材の他例を示す斜視図である。
【図８】第２連結部材の他例を示す斜視図である。
【図９】第１・第２の連結部材の使用状態を示す側面図である。
【図１０】第１・第２の連結部材の使用状態を示す平面図である。
【図１１】連接棒の他例を示す一部破断平面図である。
【符号の説明】
【００４３】
１…擁壁用ブロック、２…ナット部材、３…背面板、４…背面板設置治具、５…姿勢案内棒、６，７…支持部材、８，９，８ａ，９ａ…連結部材、１０…連接棒、１１，１３…パイプ部材、１２…Ｌ字状部材、１４…Ｔ字状部材、１５…嵌合部材、１６ａ，１６ｂ…連結片、１７…ボルト部材、１８，２０，１８ａ，２０ａ…連結端部材、１９，２１，１９ａ，２１ａ…棒部材、２２…パイプ部材、２３ａ，２３ｂ…孔、２４…ピン、２５…ターバンバックル、２６…軸方向溝、２７…回転方向溝、２８…基盤、２９…コンクリート、３０…裏込め材、３１…パイプ部材、３２…天板、３３ａ，３３ｂ…蝶番筒、３４…蝶番ピン、３５…基板。
【図１】
2007002491.tif 000003
【図２】
2007002491.tif 000004
【図３】
2007002491.tif 000005
【図４】
2007002491.tif 000006
【図５】
2007002491.tif 000007
【図６】
2007002491.tif 000008
【図７】
2007002491.tif 000009
【図８】
2007002491.tif 000010
【図９】
2007002491.tif 000011
【図１０】
2007002491.tif 000012
【図１１】
2007002491.tif 000013